(57)【要約】【課題】通話をしながら通話時間の経過が視認できる通話時間表示器を提供する。【解決手段】通話時間表示器１において、携帯電話機１７に可撓線体１５を介して取り付けられたケース３と、ケース３の表面に設けられた表示器５と、携帯電話機１７の発信電波によって誘導電流を生じさせるコイル７と、誘導電流を受けて始動状態となり一定時間間隔でカウントアップする計数器と、誘導電流で動作し計数器の計数値を表示器５に表示させる表示制御部とを設けた。【選択図】　　　　図１
2004056676.tif 000002
【特許請求の範囲】
【請求項１】
携帯電話機に可撓線体を介して取り付けられたケースと、
該ケースの表面に設けられた表示器と、
前記携帯電話機の発信電波によって誘導電流を生じさせるコイルと、
前記誘導電流を受けて始動状態となり一定時間間隔でカウントアップする計数器と、
前記誘導電流で動作し該計数器の計数値を前記表示器に表示させる表示制御部と、
を具備したことを特徴とする通話時間表示器。
【請求項２】
請求項１記載の通話時間表示器において、
前記コイルが前記携帯電話機のアンテナ近傍の可撓線体に設けられ、
前記コイルが該可撓線体に設けた導体を介して前記ケース内に電気的に接続されていることを特徴とする通話時間表示器。
【請求項３】
請求項１記載の通話時間表示器において、
前記ケースの表面に、押下操作可能となったリセットボタンが設けられ、
前記計数器が、該リセットボタンの押下操作によって計数を始動状態に戻すことを特徴とする通話時間表示器。
【請求項４】
請求項１記載の通話時間表示器において、
前記表示制御部が、前記計数器から所定の計数値を受けたことを条件に、前記表示器に警告表示信号を出力することを特徴とする通話時間表示器。
【発明の詳細な説明】
【０００１】
【発明の属する技術分野】
本発明は、携帯電話機の通話時間表示器に関し、特に通話中での通話時間の視認が可能となる通話時間表示器に関する。
【０００２】
【従来の技術】
携帯電話機は、携帯性を確保するために小型化が図られるとともに、通話機能は元より、近年、メールやインターネット等の文字情報や画像情報の通信機能も備えるに至っている。小型化を図るための携帯電話機としては、長手方向全長の約１／２の位置にヒンジを設け、折り畳み時の長手方向の寸法を小さくする折り畳み構造のものも知られている。このような状況下、電話機では、限られた筺体の外表面に、入力部、表示部、受話器、送話器が高密度に配設されている。
【０００３】
ところで、筺体に設けられた上記の表示部は、電波強度の表示、電池残量の表示、サーバ接続中の表示、未読メールの表示等の動作状態の表示を行う他、発信時の入力した電話番号、メール宛先、送信メールデータ等の表示、及び着信時の相手方電話番号、着信メールデータ、インターネット画面等の表示を行う。また、携帯電話機の表示部は、通話経過時間が表示されることで、表示部を目視することにより、通話開始からの経過時間が分るようになっている。
【０００４】
【発明が解決しようとする課題】
しかしながら、上記したように小型化の図られた携帯電話機は、受話器を耳に当て、送話器を口元に位置させた使用状態では、表示部を目視することができない。このため、表示部には、折角通話経過時間が表示されているにもかかわらず、通話をしながらの経過時間の視認ができず、経過時間を考慮した通話を行うことができなかった。一方、通話中に経過時間を知るために表示部を目視すれば、受話器、送話器が耳、口から離れ、その間は通話が中断されることになり、使い勝手が悪かった。
本発明は上記状況に鑑みてなされたもので、通話をしながら通話時間の経過が視認できる通話時間表示器を提供し、もって、携帯電話機の使い勝手の向上を図ることを目的とする。
【０００５】
【課題を解決するための手段】
上記目的を達成するための本発明に係る請求項１記載の通話時間表示器は、携帯電話機に可撓線体を介して取り付けられたケースと、該ケースの表面に設けられた表示器と、前記携帯電話機の発信電波によって誘導電流を生じさせるコイルと、前記誘導電流を受けて始動状態となり一定時間間隔でカウントアップする計数器と、前記誘導電流で動作し該計数器の計数値を前記表示器に表示させる表示制御部と、を具備したことを特徴とする。
【０００６】
この通話時間表示器では、携帯電話機が通話中となり、携帯電話機から電波が出力されると、コイルに電流が誘導され、計数器が一定時間間隔でカウントアップし、表示制御部がその計数値を表示器に表示させる。したがって、通話中では、電波が出力され続けるので、その経過時間、即ち、通話時間が表示器に表示され続ける。そして、ケースが可撓線体を介して携帯電話機に接続されているので、耳に宛がうことによって直視できなくなった携帯電話機から、目視可能な範囲に表示器が配置可能となり、通話をしながらの通話時間の視認が可能となる。
【０００７】
請求項２記載の通話時間表示器は、請求項１記載の通話時間表示器において、前記コイルが前記携帯電話機のアンテナ近傍の可撓線体に設けられ、前記コイルが該可撓線体に設けた導体を介して前記ケース内に電気的に接続されていることを特徴とする。
【０００８】
この通話時間表示器では、コイルがアンテナに近接して配置可能となり、強く安定した誘導電流が得られる。
【０００９】
請求項３記載の通話時間表示器は、請求項１記載の通話時間表示器において、前記ケースの表面に、押下操作可能となったリセットボタンが設けられ、前記計数器が、該リセットボタンの押下操作によって計数を始動状態に戻すことを特徴とする。
【００１０】
この通話時間表示器では、リセットボタンの押下操作によって計数が始動状態に戻されるので、通話中の任意な時からの通話時間が計数可能となる。また、呼び出しを着信したとき、呼び出し音を発生する前に先ず応答信号が送信される場合には、応答信号を送信する際の計数をリセットすることで、通話時間に含まれない時間の排除が可能となり、通話時間の表示精度が高められる。
【００１１】
請求項４記載の通話時間表示器は、請求項１記載の通話時間表示器において、前記表示制御部が、前記計数器から所定の計数値を受けたことを条件に、前記表示器に警告表示信号を出力することを特徴とする。
【００１２】
この通話時間表示器では、表示制御部が、計数器から所定の計数値を受けると、表示器に警告表示信号を出力し、表示器に警告表示が表示される。これにより、所定時間を経過したことが容易に視認可能となり、長電話の抑止に役立つことになる。
【００１３】
【発明の実施の形態】
以下、本発明に係る通話時間表示器の好適な実施の形態を図面を参照して詳細に説明する。
図１は本発明に係る通話時間表示器の携帯電話機に取り付けられた状態の外観図、図２は図１に示した通話時間表示器のブロック図である。
【００１４】
本実施の形態による通話時間表示器１は、ケース３と、液晶表示器（ＬＣＤ）５と、コイル７と、電流検知部９と、計数器（カウンタ）１１と、表示制御部（ＬＣＤコントローラ）１３とを主な構成要素として有している。
【００１５】
ケース３は、可撓線体である例えばストラップ１５を介して携帯電話機１７に取り付けられる。可撓線体は、ストラップ１５に限らず、アクセサリを取り付けるための紐であってもよい。但し、いずれの場合においても、携帯電話機１７を耳に当てた使用状態において、ケース３が目視可能な位置に配置できる長さを有しているものとする。
【００１６】
液晶表示器５は、ケース３の表面に設けられ、少なくとも時・分・秒のそれぞれが二桁表示可能となっている。この他、液晶表示器（表示器）５には、警告表示が可能となっていることが好ましい。警告表示は、表示制御部１３から送出される警告表示信号によって表示される。警告表示としては、例えば、上記した時・分・秒の表示全体を点滅させる表示、表示画面全体を赤色等に着色する表示、或いは注意を喚起させる警告文字等の表示等を例示することができる。
【００１７】
コイル７は、ケース３に内設されてもよく、或いは携帯電話機１７のアンテナ１９近傍のストラップ１５に設けられてもよい。コイル７は、ストラップ１５に設けられる場合、ストラップ１５に設けた図示しない導体を介してケース３内に電気的に接続される。本実施の形態においては、コイル７がストラップ１５に設けられる構成を例に説明する。このコイル７は、携帯電話機１７の発信電波によって誘導電流が生じる。従って、図１に示すように、コイル７は、ストラップ１５に設けられて、アンテナ１９に近接して配置されていれば、強く安定した電流を得ることができる。
【００１８】
電流検知部９は、コイル７で生じた誘導電流を検知した瞬間に１パルスの信号を発生させる。なお、電流検知部９や計数器１１などには、コイル７の誘導電流が供給されるが、この場合、アンテナに分布した高周波電流によってコイル７に誘導される電流を、図示しない整流用ダイオードを用いて整流して供給するようにしてもよい。
【００１９】
計数器１１は、コイル７の誘導電流を受けることで、一旦始動状態となり、その後、１秒間隔毎にカウントアップする。また、計数器１１のリセット端子には電流検知部９が接続されており、電流検知部９からのパルス信号が入力されるようになっている。つまり、計数器１１は、コイル７に誘導電流が生じることによりカウントアップが開始されるが、同時に電流検知部９よりパルスをリセット端子に受けるため、一旦計数値は０にリセットされた後カウントアップされる。
【００２０】
表示制御部１３は、コイル７からの誘導電流で動作し、計数器１１の計数値を液晶表示器５に表示させる。また、表示制御部１３は、計数器１１から所定の計数値を受けたことを条件に、液晶表示器５に警告表示信号を出力し、液晶表示器５に上記した警告表示を行わせるようになっている。
【００２１】
また、通話時間表示器１は、ケース３の表面に、押下操作可能となったリセットボタン２１を備えることが望ましい。リセットボタン２１は、例えば電流検知部９と共に計数器１１のリセット端子Ｒに接続され、押下操作されることによって、計数器１１を始動状態に戻す（即ち、リセットする）ようになっている。
【００２２】
次に、このように構成される通話時間表示器１の動作を説明する。
図３は図１に示した通話時間表示器の動作を説明する流れ図である。
携帯電話機１７にストラップ１５を介して取り付けられた通話時間表示器１は、携帯電話機１７から発信電波が送出されてない状態では、コイル７に誘導電流が流れず、待機状態となり（ｓｔ１）、液晶表示器５が無表示状態となっている。
【００２３】
携帯電話機１７が発信状態となるとコイル７に誘導電流が生じ（ｓｔ３）、電流検知部９がパルスを発生させることで、計数器１１がリセットされる（ｓｔ５）。
継続してコイル７に誘導電流が生じていれば（ｓｔ７）、リセットボタン２１による操作の有無が判断される（ｓｔ９）。なお、この状態で、コイル７に誘導電流が生じていなければ、再びｓｔ１の待機状態へと戻る。
【００２４】
リセットボタン２１が押下されない場合は、そのまま計数器１１が計数を開始する（ｓｔ１３）。リセットボタン２１が押下された場合には、一旦、計数器１１を始動状態にした後（ｓｔ１１）、計数を開始する（ｓｔ１３）。
【００２５】
計数器１１によって計数された計数値は、表示制御部１３によって液晶表示器５に表示される（ｓｔ１５）。
表示制御部１３は、計数器１１から所定の計数値を受けるまで計数値を表示し続ける。一方、表示制御部１３は、計数器１１から所定の計数値（例えば３分）を受けたなら、通話時間が３分を経過したとして（ｓｔ１７）、液晶表示器５に警告表示信号を出力する（ｓｔ１９）。
【００２６】
その後も、コイル７に誘導電流が生じている間、計数値の表示と、警告表示とが表示され続けることになる。
そして、誘導電流がなくなることにより、液晶表示器５の計数値表示と、警告表示とが消え、再び待機状態（ｓｔ１）へと戻ることになる。
【００２７】
この通話時間表示器１によれば、携帯電話機１７が通話中となり、携帯電話機１７から電波が出力されると、コイル７に誘導電流が生じ、計数器１１は一旦リセットされた後カウントアップし、表示制御部１３がそのカウントアップされた計数値を液晶表示器５に表示させる。したがって、通話中では、電波が出力され続けるので、その経過時間、即ち、通話時間が液晶表示器５に表示され続ける。そして、ケース３がストラップ１５を介して携帯電話機１７に接続されているので、耳に宛がうことによって直視できなくなった位置の携帯電話機１７から、目視可能な範囲に通話時間表示器１の液晶表示器５が配置可能となり、通話時間が視認可能となる。
【００２８】
また、リセットボタン２１の押下操作によって計数が始動状態に戻されるので、通話中の任意な時からの通話時間が計数可能となる。また、呼び出しを着信したとき、呼び出し音を発生する前に先ず応答信号が送信される場合には、応答信号を送信する際の計数をリセットすることで、通話時間に含まれない時間の排除が可能となり、通話時間の表示精度が高められる。
【００２９】
さらに、表示制御部１３が、計数器１１から所定の計数値を受けると、液晶表示器５に警告表示信号を出力し、液晶表示器５に警告表示が表示される。これにより、通話時間が所定時間を経過したことが容易に視認可能となり、長電話の抑止に役立つことになる。
【００３０】
【発明の効果】
以上詳細に説明したように、本発明に係る請求項１記載の通話時間表示器によれば、携帯電話機に可撓線体を介して取り付けられるケースの表面に、表示器を設け、携帯電話機のアンテナに近接した場所に、携帯電話機の発信電波によって誘導電流を生じさせるコイルを設け、ケース内には、前記誘導電流を受けて一定時間間隔のカウントアップを開始する計数器と、計数器の計数値を表示器に表示させる表示制御部とを備えたので、携帯電話機が通話中となり、携帯電話機から電波が出力されると、コイルに誘導電流が生じ、電流検知部がパルスを発生されると、計数器は一旦リセットされた後カウントアップし、表示制御部がそのカウントアップされた計数値を表示器に表示させることになる。したがって、通話中では、電波が出力され続けるので、その経過時間、即ち、通話時間が表示器に表示され続けることになる。そして、ケースが可撓線体を介して携帯電話機に接続されているので、耳に宛がうことによって直視できなくなった位置の携帯電話機から、目視可能な範囲に表示器を配置して、そこに表示される通話時間を視認することができる。
【００３１】
請求項２記載の通話時間表示器によれば、コイルが携帯電話機のアンテナ近傍のストラップに設けられ、このコイルがストラップに設けた導体を介してケース内に電気的に接続されるので、コイルをアンテナに近接して配置させることができ、強く安定した誘導電流を得ることができる。
【００３２】
請求項３記載の通話時間表示器によれば、ケースの表面に、押下操作可能なリセットボタンを設け、計数器が、このリセットボタンの押下操作によって計数を始動状態に戻すので、通話中の任意な時からの通話時間を計数することができる。また、呼び出しを着信したとき、呼び出し音を発生する前に先ず応答信号を送信する場合には、応答信号を送信する際の計数をリセットして、通話時間の表示精度を高めることもできる。
【００３３】
請求項４記載の通話時間表示器によれば、表示制御部が、計数器から所定の計数値を受けたことを条件に、表示器に警告表示信号を出力するので、長電話の抑止に役立てることができる。
【図面の簡単な説明】
【図１】本発明に係る通話時間表示器の携帯電話機に取り付けられた状態の外観図である。
【図２】図１に示した通話時間表示器のブロック図である。
【図３】図１に示した通話時間表示器の動作を説明する流れ図である。
【符号の説明】
１…通話時間表示器、３…ケース、５…液晶表示器（表示器）、７…コイル、９…電流検知部、１１…計数器、１３…表示制御部、１５…ストラップ（可撓線体）、１７…携帯電話機、１９…アンテナ、２１…リセットボタン。
【図１】
2004056676.tif 000003
【図２】
2004056676.tif 000004
【図３】
2004056676.tif 000005